(57)【特許請求の範囲】
【請求項１】
開口部の周縁にフランジを有する容器体と突刺し筒を備えたポンプ部材が取り付けられた蓋体とからなり、前記蓋体は蓋本体の下部に段部を介して前記突刺し筒より長い筒状体が延設され、前記筒状体の内径が前記容器体のフランジの外径よりやや大きくされ、前記突刺し筒が前記段部より下方に位置し、前記蓋体を前記容器体に取り付けた際に前記段部が前記容器体のフランジに当接する構成からなることを特徴とする詰め替え用ポンプ付き容器。
【請求項２】
前記容器体の周壁の外面に円周方向に配置された３か所以上の上下方向のリブが形成され、前記リブに外接する円の直径が前記筒状体の内径よりやや小さくされ、前記リブの外端の下部にそれぞれ突起が形成された構成からなることを特徴とする請求項１記載の詰め替え用ポンプ付き容器。
【請求項３】
前記リブが前記容器体の周壁の下方部に形成されており、前記リブの上端部が傾斜部とされた構成からなることを特徴とする請求項２記載の詰め替え用ポンプ付き容器。
【請求項４】
前記筒状体の上下方向の長さが、前記リブの上下方向の長さと突刺し筒の長さの和より長くされている構成からなることを特徴とする請求項３記載の詰め替え用ポンプ付き容器。
【発明の詳細な説明】
【０００１】
【発明の属する技術分野】
本発明は、ポンプ部材の突刺し筒を内容器に突き刺すだけで内容物を取り出すことができる詰め替え用ポンプ付き容器に関する。
【０００２】
【従来の技術】
従来、各家庭等で使用されている液体洗剤等の詰め替え用の包装袋としては自立性袋の形状が一般的であり、小出し容器に洗剤を詰め替えるには、通常の自立性袋の場合は上端角部をカットして開口を形成してその開口から小出し容器に詰め替える方法により、また、上端部に注出口が形成された自立性袋の場合は注出口から小出し容器に詰め替える方法により行われている。しかしながら、上記のようにして詰め替える場合には、小出し容器の口部が狭いこともあって、詰め替えに手間がかかる上に詰め替えの際に内容物を零してしまうおそれがあった。また、詰め替え時に内容物に外気が混入するので内容物の変質や微生物の繁殖等の問題があり、液体歯磨き等のように口に入れて使用する内容物の包装用としては好ましくないという欠点があった。
【０００３】
それらの欠点を改良した、小出し容器に内容物を詰め替える必要のない詰め替え用ポンプ付き容器としては、特開平７−１７２４６６号に記載されているような、合成樹脂からなる筒状で自立型の袋の上端を、未延伸ナイロンとポリオレフィン系樹脂フィルムからなるラミネートフィルムをヒートシールして閉じた液体収納袋を、小出し用の容器体の内部に収納し、ポンプ部材を備えた蓋体を容器体の上端に取り付け、ポンプ部材のチューブを液体収納袋に突き刺して内容物を取り出す構成のもの、特願平９−２５７６９０号に記載されているような、可撓性のカップ状容器に内容物を充填し突刺密封性フィルムにて口部を密封した内容器を小出し用の容器体の内部に収納し、ポンプ部材を備えた蓋体を小出し容器体の上端に取り付けてポンプ部材の突刺し筒を内容器の突刺密封性フィルムに突き刺して内容物を取り出す構成のもの等が知られている。
上記の小出し容器においては、ポンプ部材のチューブを自立型の液体収納袋に突き刺す際に、ないしはポンプ部材の突刺し筒を内容器の突刺密封性フィルムに突き刺す際に、突き刺しが完了するまで、突き刺し位置をずらさないように且つ突き刺す角度が変わらないようにするのが困難であり、突き刺し部における密封性を確保して気密性を保持するのが難しいという欠点があった。
【０００４】
【発明が解決しようとする課題】
本発明の目的は、ポンプ部材の突刺し筒を内容器に突き刺した際に、突き刺し部における密封性を確保して気密性を保持できるようにした詰め替え用ポンプ付き容器を提供することである。
【０００５】
【課題を解決するための手段】
開口部の周縁にフランジを有する容器体と突刺し筒を備えたポンプ部材が取り付けられた蓋体とからなり、蓋体は蓋本体の下部に段部を介して突刺し筒より長い筒状体が延設され、筒状体の内径が容器体のフランジの外径よりやや大きくされ、突刺し筒が段部より下方に位置し、蓋体を容器体に取り付けた際に段部が容器体のフランジに当接する構成の詰め替え用ポンプ付き容器である。この場合、内容物が充填され密封されたフランジを有する圧潰性の内容器を容器体の内部に装填して、蓋体の筒状体を容器体の開口部に被せて押し下げるだけで、蓋体の段部が容器体のフランジに当接して蓋体の取り付けが完了した時点で突刺し筒が内容器の内部に突き刺さるので、この状態でポンプ部材を操作することにより内容物を取り出すことができる。また、突刺し筒の尖った先端が蓋体の筒状体の内部に収納された状態であるので、容器体に蓋体を取り付ける際に誤って突刺し筒で手を怪我するようなこともない。
【０００６】
上記の詰め替え用ポンプ付き容器において、容器体の周壁の下方部の外面に円周方向に配置された３箇所以上の上下方向のリブが形成され、リブの上端に傾斜部が形成され、リブの外端の下部にそれぞれ突起が形成され、リブに外接する円の直径が筒状体の内径よりやや小さくされ、筒状体の上下方向の長さをリブの上下方向の長さと突刺し筒の長さの和より長くした構成とすることにより、容器体の内部に圧潰性の内容器を装填して、蓋体の筒状体を容器体の開口部に被せて押し下げて蓋体を容器体に取り付ける際に、突刺し筒の先端が内容器の上面に接する時点で、筒状体の下端はリブに達し、蓋体は真っ直ぐに誘導されるため、突刺し筒は容器体の開口部の面に垂直方向に突き刺され突き刺しが完了するまでその角度は変化しないし、突き刺し位置も変化しない。したがって、突刺し筒を突き刺した部分における密封性が確保され気密性を保持することができるので、ポンプ操作により内容物を取り出していった際に、内容器内に空気が進入することがなく、取り出された容積だけ内容器の容積が減少して内容器が圧潰され、内容物を最後まで残さず取り出すことができる。
【０００７】
【発明の実施の形態】
以下、図面を引用して本発明の実施の形態を説明する。
図１は本発明の詰め替え用ポンプ付き容器の実施形態を示す縦断面図、図２は図１におけるＩ−Ｉ断面図、図３は実施形態における内容物を取り出す状態を示す縦断面図であって、１は容器体、11はフランジ、12は周壁、13は傾斜部、14はリブ、15は突起、16は台部、２は蓋体、21は蓋本体、22は段部、23は筒状体、３はポンプ部材、４は突刺し筒、５は内容器、51は内容器フランジ、６は突刺密封性フィルム、７は内容物をそれぞれを表す。
【０００８】
本発明の詰め替え用ポンプ付き容器の実施形態は、図１、図２に示すとおりであって、容器体１と蓋体２とから構成されている。容器体１は円形の開口部の周縁にフランジ11を有する底細りの円筒状であり、周壁12の下部の外面に円周方向に均等に配置された４箇の上下方向に延びるリブ14が形成され、リブ14の上部が傾斜部13とされるとともにリブ14の外端の下端近傍に突起15が形成され、リブ14の下端にはリブ14の外端より外側に広がる台部16が形成され、リブ14に外接する円の直径と容器体１の開口部の周縁に形成されたフランジ11の外径とが同一寸法になるように設定されている構成である。本実施形態においては、リブ14は容器体１の周壁12の下部の外面に形成され、リブ14の上部は傾斜部13とされた形状としているが、これは、容器体１をポリプロピレン等の樹脂を使用して射出成形により製造する際の作業性を良くするように考慮したものであって、リブ14を容器体１の周壁12の外面に上下方向にフランジ11と台部16間の全長にわたって設けるようにしてもよい。
【０００９】
蓋体２は、突刺し筒４を備えたポンプ部材３が上部の中央に取り付けられたドーム状の蓋本体21の下部に段部22を介して筒状体23が延設され、筒状体23の上下方向の長さはリブの上下方向の長さと突刺し筒の長さの和より長くされ、ポンプ部材３の突刺し筒４は段部22より下方に位置するように取り付けられ、筒状体23の内部に容器体１の開口部の周縁のフランジ11に被さるように、筒状体23の内径は容器体１のフランジ11の外径よりやや大きめに設定されている構成である。蓋体２をこの形状とすることにより、突刺し筒４が筒状体23の内部に隠れた状態であるので、蓋体２を容器体１に取り付ける際に突刺し筒４にて怪我をするおそれもない。本実施形態においては、蓋本体21の形状をドーム状としているが角型としてもよくその形状は任意である。
【００１０】
容器体１のフランジ11上に内容器５のフランジ51を重ねた状態で容器体１の内部に内容器５を装填して蓋体２を取り付けた状態は、図３に示すとおりである。内容器５はフランジ51を有する圧潰可能な容器であり内部に内容物７を充填した後に突刺密封性フィルム６をフランジ51に熱接着することにより口部を密封した構成である。容器体１の内部に内容器５を装填して、蓋体２の筒状体23を容器体１の開口部に被せ、フランジ11の外周が筒状体23の内面に接する状態で蓋体２を押し下げることにより、蓋体２の段部22の下面と容器体１のフランジ11の上面間で内容器５のフランジ51を挟持し、容器体１の周壁12の下部に設けられたリブ14の外端の突起15により筒状体23がリブ14の外端間で固定された状態となり、容器体１への蓋体２の取り付けが完了する。この状態でポンプ部材３の下端に取り付けられた突刺し筒４が内容器５の開口部を覆っている突刺密封性フィルム６を突き刺して内容器５の内部に進入するので、ポンプ部材３を操作するにより内容物７を取り出すことができる。
【００１１】
蓋体２の筒状体23を容器体１の開口部に被せて蓋体２を押し下げる際に、筒状体23の下端がリブ14の上端に達するまでは斜めに押し下げられることもあるが、筒状体23の下端が傾斜部13を通過してリブ14に達した時点で蓋体２は容器体１の開口部の面に垂直に押し下げられる。一方、筒状体23の上下方向の長さがリブ14の上下方向の長さと突刺し筒４の長さの和により長くされているので、筒状体23の下端がリブ14の上端に達した際に突刺し筒４の先端が突刺密封性フィルム６に達していない。筒状体23の下端がリブ14の上端に達した後は筒状体23の内面とリブ14の外端とが接した状態で蓋体２は容器体１の開口部の面、即ち内容器５の突刺密封性フィルム６の面に垂直に押し下げられるので、突刺し筒４の先端が突刺密封性フィルム６に接触した状態から突き刺しが完了するまで、突刺密封性フィルム６の面に垂直に突き刺される。したがって、突刺し筒４の突き刺し位置および角度が変わることがなく、突き刺し部における突刺し筒４と突刺密封性フィルム６間の密封性が確保され気密性が保持される。
【００１２】
図３に示す状態にて、ポンプ部材３を操作することにより、突刺し筒４をとおして内容物７を取り出すことができる。内容物７が取り出されて内容器５内の内容物７が減少してゆくと、突刺し筒４と突き刺された突刺密封性フィルム６の突き刺し部の気密性が保持されているので、外部の空気が内容器５内に進入することがなく、また、内容器５のフランジ51が容器体１のフランジ11と蓋体２の段部22下面との間で挟持された状態であるが、内容器５のフランジ51と容器体１のフランジ11間が気密性を保つほど強く押さえられていないために、フランジ11とフランジ13の間から容器体１と内容器５の間に外気が進入してくので、内容物５の減少した容積分だけ内容器５の容積が減少して圧潰される。ポンプ部材３を操作して内容物７を取り出し続けると、内容物７の取り出された容積だけ内容器５の容積が減少して圧潰されてゆき、内容器５が完全に圧潰されて突刺し筒４の周辺および突刺密封性フィルム６の内面に密着した状態となって、内容器５に充填された内容物７を残らず取り出すことができる。この詰め替え用ポンプ付き容器を家庭に備えておくことにより、使い終わった際に新しい内容器を新しいものと取り替えるだけで繰り返し使用できる。
【００１３】
本発明の詰め替え用ポンプ付き容器にて使用する内容器５は圧潰可能な容器である。内容器の構成は、ポリオレフィン系樹脂層とエチレン−ビニルアルコール共重合体（ＥＶＯＨ）ないしはポリ塩化ビニリデン（ＰＶＤＣ）からなるガスバリアー性樹脂層とポリオレフィン系樹脂層との積層体にて構成される。ポリオレフィン系樹脂層としては、低密度ポリエチレン（ＬＤＰＥ）、線状低密度ポリエチレン（ＬＬＤＰＥ）、ポリプロピレン（ＰＰ）、エチレン−プロピレン共重合体（ＥＰ）等が使用できる。内容器５の積層構成の具体例としては、ＬＤＰＥ／ＥＶＯＨ／ＬＤＰＥ、ＬＬＤＰＥ／ＥＶＯＨ／ＬＬＤＰＥ、ＬＤＰＥ／ＥＶＯＨ／ＥＰ、ＬＬＤＰＥ／ＥＶＯＨ／ＥＰ、ＬＤＰＥ／ＥＶＯＨ／ＰＰ、ＬＬＤＰＥ／ＥＶＯＨ／ＰＰ、ＥＰ／ＥＶＯＨ／ＥＰ等である。上記積層フイルムは多層押出により製造されるものであり、各層間の接着強度を強くするために各層間に接着樹脂層を入れた多層押出フイルムとしてもよい。厚さが０．５〜１．０ｍｍの多層シートを使用して真空成形ないしは圧空成形することにより製造されるが、多層のブロー成形により製造することもできる。また、ガスバリヤー性を必要としない内容物を包装する用途の場合には、低密度ポリエチレン（ＬＤＰＥ）、線状低密度ポリエチレン（ＬＬＤＰＥ）、ポリプロピレン（ＰＰ）、エチレン−プロピレン共重合体（ＥＰ）等からなる成形容器が使用できる。
【００１４】
突刺密封性フィルム６としては、低密度ポリエチレン（ＬＤＰＥ）、線状低密度ポリエチレン（ＬＬＤＰＥ）、中密度ポリエチレン（ＭＤＰＥ）、エチレン−酢酸ビニル共重合体（ＥＶＡ）、アイオノマー（ＩＯ）およびエチレン−アクリル酸共重合体（ＥＡＡ）、エチレン−エチルアクリレート共重合体（ＥＥＡ）、エチレン−メタクリル酸共重合体（ＥＭＡ）、エチレン−メチルメタクリレート共重合体（ＥＭＭＡ）等のエチレン−アクリル酸系モノマー共重合体からなるポリオレフィン系フィルムのいずれか、ないしは上記の２種類以上の樹脂からなる多層フィルムが使用される。多層構成のフィルムとすることにより突き刺し性、突き刺し密封性の優れたものとすることができる。多層構成のフィルムとしは、ＬＬＤＰＥ／ＭＤＰＥ／ＬＬＤＰＥ、ＬＬＤＰＥ／ＥＶＡ／ＬＬＤＰＥ、ＬＬＤＰＥ／ＩＯ／ＬＬＤＰＥ、ＬＬＤＰＥ／ＥＡＡ／ＬＬＤＰＥ、ＬＬＤＰＥ／ＥＥＡ／ＬＬＤＰＥ、ＬＬＤＰＥ／ＥＭＡ／ＬＬＤＰＥ、ＬＬＤＰＥ／ＥＭＭＡ／ＬＬＤＰＥ等である。多層の突刺密封性フィルムを製造するには共押出しが適しており、必要により層間に接着樹脂層を入れてもよい。突刺密封性フィルムの厚さとしては、0.１０〜0.２０ｍｍが好ましく、３層構成とする場合の厚さの比率は、１．０：０．２〜０．８：１．０が好ましい。
【００１５】
ガスバリヤー性の優れた突刺密封性フィルムとしては、上記のポリオレフィン系フィルムの外側に、ガスバリヤー性の優れたプラスチック層を積層した構成のものが使用できる。ガスバリヤー性の優れたプラスチック層としては、未延伸ナイロン（ＣＮ）、ポリ塩化ビニリデン（ＰＶＤＣ）コート未延伸ナイロン、エチレン−ビニルアルコール共重合体（ＥＶＯＨ）等が使用できる。ガスバリヤー性の優れた突刺密封性フィルムの構成としては、ＣＮ／接着層／ＬＬＤＰＥ、ＣＮ／接着層／ＬＬＤＰＥ／ＭＤＰＥ／ＬＬＤＰＥ、ＰＶＤＣコートＣＮ／接着層／ＬＬＤＰＥ、ＰＶＤＣコートＣＮ／接着層／ＬＬＤＰＥ／ＭＤＰＥ／ＬＬＤＰＥ、ＥＶＯＨ／接着層／ＬＬＤＰＥ／ＭＤＰＥ／ＬＬＤＰＥ等である。
【００１６】
【発明の効果】
開口部の周縁にフランジを有する容器体と突刺し筒を備えたポンプ部材が取り付けられた蓋体とからなり、蓋体は蓋本体の下部に段部を介して突刺し筒より長い筒状体が延設され、筒状体の内径が容器体のフランジの外径よりやや大きくされ、突刺し筒が段部より下方に位置し、蓋体を容器体に取り付けた際に段部が容器体のフランジに当接する構成の詰め替え用ポンプ付き容器である。この場合、内容物が充填され密封された圧潰性の内容器を容器体の内部に装填して、蓋体の筒状体を容器体の開口部に被せて押し下げるだけで、蓋体の段部が容器体のフランジに当接して蓋体の取り付けが完了した時点で突刺し筒が内容器の内部に突き刺されるので、この状態でポンプ部材を操作することにより内容物を取り出すことができる。また、突刺し筒の尖った先端が蓋体の筒状体の内部に納まった状態であるので、容器体に蓋体を取り付ける際に誤って突刺し筒で手を怪我するようなこともない。
上記の詰め替え用ポンプ付き容器において、容器体の周壁の下方部に外面に円周方向に配置された３箇所以上の上下方向のリブが形成され、リブの上端に傾斜部が形成され、リブの外面の下部にそれぞれ突起が形成され、リブに外接する円の直径が筒状体の内径よりやや小さくされ、筒状体の上下方向の長さをリブの上下方向の長さと突刺し筒の長さの和より長くした構成とすることにより、容器体の内部に圧潰性の内容器を装填して、蓋体の筒状体を容器体の開口部に被せて押し下げて蓋体を容器体に取り付ける際に、突刺し筒の先端が内容器に接する時点で、筒状体はリブの部分に達しているので、突刺し筒は容器体の開口部の面に垂直方向に突き刺され突き刺しが完了するまでその角度は変化しないし、突き刺し位置も変化しない。したがって、突刺し筒を突き刺した部分における突刺し筒と内容器の突刺密封性フィルム間の密封性が確保され気密性を保持することができるので、ポンプ操作により内容物を取り出していった際に、内容器内に空気が進入することがなく、取り出された容積だけ内容器の容積が減少して内容器が圧潰されてゆくので、内容物を最後まで残さず取り出すことができる。
【図面の簡単な説明】
【図１】本発明の詰め替え用ポンプ付き容器の実施形態を示す縦断面図。
【図２】図１におけるＩ−Ｉ断面図。
【図３】実施形態における内容物を取り出す状態を示す縦断面図。
【符号の説明】
１  容器体                        ３  ポンプ部材
11  フランジ                      ４  突刺し筒
12  周壁                          ５  内容器
13  傾斜部                        51  内容器フランジ
14  リブ                          ６  突刺密封性フィルム
15  突起                          ７  内容物
16  台部
２  蓋体
21  蓋本体
22  段部
23  筒状体
【図１】
0003984369.tif 000002
【図２】
0003984369.tif 000003
【図３】
0003984369.tif 000004